(57)【要約】  本発明は、通信システムにおけるダウンリンクＰＤＳＣＨで電力設定情報を伝送するための方法及び装置を提供する。この通信システムにおいて、トラフィック対パイロット比(Ｔ２Ｐ)を計算するための複数の方法が設定される。また、複数のオーバーヘッド信号と、複数の基準信号(ＲＳ)オーバーヘッド比 ηＲＳ、及び複数Ｔ２Ｐ計算方法の間のマッピング方式が設定される。特定ＯＦＤＭシンボルに対するユーザー特定Ｔ２Ｐ比ＰＢ，Ｋ/ＰＲＳ、ＲＳオーバーヘッド比 ηＲＳ、及び複数のＴ２Ｐ計算方法から選択された計算方法が無線端末に割り当てられる。その後、割り当てられたＲＳオーバーヘッド比ηＲＳ及び割り当てられたＴ２Ｐ計算方法ともに対応するオーバーヘッド信号がマッピング方式によって選択され、無線端末に伝送される。
2011509621.tif 000002
【特許請求の範囲】
【請求項１】
無線端末でトラフィック対パイロット比を計算する方法であって、
オーバーヘッド信号と非ＲＳ  ＯＦＤＭシンボルに対するトラフィック対パイロット比を受信するステップと、
前記受信されたオーバーヘッド信号及び非ＲＳ  ＯＦＤＭシンボルに対するトラフィック対パイロット比を用いて、送信アンテナの構成によってＲＳ  ＯＦＤＭシンボルに対するトラフィック対パイロット比を計算するステップと、
を具備することを特徴とする方法。
【請求項２】
前記ＲＳ  ＯＦＤＭシンボルに対するトラフィック対パイロット比は、ＰＢ，Ｋ/ＰＲＳであり、
ＰB,Kは、前記非ＲＳ  ＯＦＤＭシンボルでのＥＰＲＥ(Energy  Per  Resource  Element)であり、ＰＲＳはリソース要素当たりＲＳ電力であることを特徴とする請求項１に記載の方法。
【請求項３】
通信システムの前記無線端末でトラフィック対パイロット比を計算するための表を設定し、前記無線端末は伝送に利用可能な複数のＯＦＤＭシンボルを有し、前記ＯＦＤＭシンボルのサブセットは基準信号を伝送するために使用されるステップをさらに具備することを特徴とする請求項１に記載の方法。
【請求項４】
前記表は、次のようであることを特徴とする請求項３に記載の方法。
【表１】
2011509621.tif 000043
ここで、ＰＢはオーバーヘッド信号、
【数１】
2011509621.tif 000044
は非ＲＳ  ＯＦＤＭシンボルに対するトラフィック対パイロット比、及び
【数２】
2011509621.tif 000045
はＲＳ  ＯＦＤＭシンボルに対するトラフィック対パイロット比である。
【請求項５】
２ＴＸ又は４ＴＸアンテナで前記ＲＳ  ＯＦＤＭシンボルに対するトラフィック対パイロット比は、１ＴＸアンテナでの５/４の倍数であることを特徴とする請求項１に記載の方法。
【請求項６】
無線端末でトラフィック対パイロット比を計算する装置であって、
オーバーヘッド信号と非ＲＳ  ＯＦＤＭシンボルに対するトラフィック対パイロット比を受信するアンテナ部と、
前記受信されたオーバーヘッド信号及び非ＲＳ  ＯＦＤＭシンボルに対する受信されたトラフィック対パイロットを用いて、送信アンテナによってＲＳ  ＯＦＤＭシンボルに対するトラフィック対パイロット比を計算する電力設定部と、
を含むことを特徴とする装置。
【請求項７】
前記ＲＳ  ＯＦＤＭシンボルに対するトラフィック対パイロット比はＰＢ，Ｋ/ＰＲＳであり、ＰＢ，Ｋは非ＲＳ  ＯＦＤＭシンボルでのＥＰＲＥ(Energy Per Resource Element)であり、ＰＲＳはリソース要素当たりＲＳ電力であることを特徴とする請求項６に記載の装置。
【請求項８】
前記電力設定部は、
通信システムの前記無線端末でトラフィック対パイロット比を計算するための表を設定し、前記無線端末は伝送に利用可能な複数のＯＦＤＭシンボルを有し、前記ＯＦＤＭシンボルのサブセットは基準信号を伝送するために使用されるステップをさらに具備することを特徴とする請求項６に記載の装置。
【請求項９】
前記表は次のようであることを特徴とする請求項８に記載の装置。
【表２】
2011509621.tif 000046
ここで、ＰＢはオーバーヘッド信号、
【数３】
2011509621.tif 000047
は非ＲＳ  ＯＦＤＭシンボルに対するトラフィック対パイロット比、及び
【数４】
2011509621.tif 000048
はＲＳ  ＯＦＤＭシンボルに対するトラフィック対パイロット比である。
【請求項１０】
２ＴＸ又は４ＴＸアンテナで前記ＲＳ  ＯＦＤＭシンボルに対するトラフィック対パイロット比は、１ＴＸアンテナでの５/４の倍数であることを特徴とする請求項６に記載の装置。
【請求項１１】
基地局における電力設定情報を伝送する方法であって、
非ＲＳ  ＯＦＤＭシンボルに対するユーザー特定トラフィック対パイロット比を割り当てるステップと、
前記非ＲＳ  ＯＦＤＭシンボルに対するトラフィック対パイロット比に基づいてＲＳ  ＯＦＤＭシンボルに対するユーザー特定トラフィック対パイロット比を割り当てるステップと、
オーバーヘッド信号と前記非ＲＳ  ＯＦＤＭシンボルに対するユーザー特定トラフィック対パイロット比を無線端末に伝送するステップと、
を具備することを特徴とする方法。
【請求項１２】
通信システムの前記無線端末でトラフィック対パイロット比を計算するための表を設定し、前記無線端末は伝送に利用可能な複数のＯＦＤＭシンボルを有し、前記ＯＦＤＭシンボルのサブセットは基準信号を伝送するために使用されるステップをさらに具備し、前記表は次のようであることを特徴とする請求項１１に記載の方法。
【表３】
2011509621.tif 000049
ここで、ＰＢはオーバーヘッド信号、
【数５】
2011509621.tif 000050
は非ＲＳ  ＯＦＤＭシンボルに対するトラフィック対パイロット比、及び
【数６】
2011509621.tif 000051
はＲＳ  ＯＦＤＭシンボルに対するトラフィック対パイロット比である。
【請求項１３】
２ＴＸ又は４ＴＸアンテナで前記ＲＳ  ＯＦＤＭシンボルに対するトラフィック対パイロット比は、１ＴＸアンテナでの５/４の倍数であることを特徴とする請求項１１に記載の方法。
【請求項１４】
基地局における電力設定情報を伝送する装置であって、
非ＲＳ  ＯＦＤＭシンボルに対するユーザー特定トラフィック対パイロット比を割り当て、前記非ＲＳ  ＯＦＤＭシンボルに対するトラフィック対パイロット比に基づいてＲＳ  ＯＦＤＭシンボルに対するユーザー特定トラフィック対パイロット比を割り当てる電力設定部と、
オーバーヘッド信号と前記非ＲＳ  ＯＦＤＭシンボルに対するユーザー特定トラフィック対パイロット比を無線端末に伝送するアンテナ部と、
を含むことを特徴とする装置。
【請求項１５】
前記電力設定部は、
通信システムの前記無線端末でトラフィック対パイロット比を計算するための表を設定し、前記無線端末は伝送に利用可能な複数のＯＦＤＭシンボルを有し、前記ＯＦＤＭシンボルのサブセットは基準信号を伝送するために使用され、前記表は次のようであることを特徴とする請求項１４に記載の装置。
【表４】
2011509621.tif 000052
ここで、ＰＢはオーバーヘッド信号、
【数７】
2011509621.tif 000053
は非ＲＳ  ＯＦＤＭシンボルに対するトラフィック対パイロット比、及び
【数８】
2011509621.tif 000054
はＲＳ  ＯＦＤＭシンボルに対するトラフィック対パイロット比である。
【請求項１６】
２ＴＸ又は４ＴＸアンテナで前記ＲＳ  ＯＦＤＭシンボルに対するトラフィック対パイロット比は、１ＴＸアンテナでの５/４の倍数であることを特徴とする請求項１４に記載の装置。
【請求項１７】
トラフィック対パイロット比を計算する方法であって、
通信システムの無線端末で基準信号(ＲＳ)オーバーヘッド比とトラフィック対パイロット(Ｔ２Ｐ)比を計算する方法ともを示すＲＳオーバーヘッド信号を受信するステップと、
データ伝送に利用可能な複数のＯＦＤＭシンボルを有する前記無線端末、基準信号の伝送に使用される前記ＯＦＤＭシンボルのサブセット、非ＲＳ  ＯＦＤＭシンボルに割り当てられたＥＰＲＥ(Energy  Per  Resource  Element)電力であるＰＢ，Ｋ、及び副搬送波当たりＲＳ電力であるＰＲＳを有し、特定のトラフィック対パイロット比ＰＢ，Ｋ/ＰＲＳを受信するステップと、
前記受信されたトラフィック対パイロット比ＰＢ，Ｋ/ＰＲＳと、前記ＲＳオーバーヘッド信号によって指示された前記ＲＳオーバーヘッド比及び前記Ｔ２Ｐ計算方法に基づいて送信アンテナ構成によって前記トラフィック対パイロット比を計算するステップと、
を具備することを特徴とする方法。
【請求項１８】
無線端末に電力設定情報を伝送する方法であって、
データ伝送に利用可能な複数のＯＦＤＭシンボルを有する前記無線端末、基準信号(ＲＳ)の伝送に使用される前記ＯＦＤＭシンボルのサブセット、ＲＳ  ＯＦＤＭシンボルに割り当てられたＥＰＲＥ(Energy  Per  Resource  Element)電力であるＰＢ，Ｋ、非ＲＳ  ＯＦＤＭシンボルに割り当てられたＥＰＲＥ電力であるＰＢ，Ｋ、及び副搬送波当たりＲＳ電力であるＰＲＳを有し、異なる直交周波数分割多重(ＯＦＤＭ)シンボル及び異なる送信アンテナに対する複数のトラフィック対パイロット比ＰＡ，Ｋ/ＰＲＳ及びＰＢ，Ｋ/ＰＲＳを割り当てるステップと、
前記割り当てられたトラフィック対パイロット比ＰＡ，Ｋ/ＰＲＳ及びＰＢ，Ｋ/ＰＲＳを明確に前記無線端末に伝送するステップと、
を具備することを特徴とする方法。
【請求項１９】
通信システムの無線端末であって、
トラフィック対パイロット比(Ｔ２Ｐ)を計算するための複数の方法を貯蔵し、複数のオーバーヘッド信号、複数の基準信号(ＲＳ)オーバーヘッド比と前記複数のＴ２Ｐ計算方法間のマッピング方式を貯蔵するメモリ部と、
データ伝送に利用可能な複数のＯＦＤＭシンボルを有する前記無線端末、基準信号の伝送に使用される前記ＯＦＤＭシンボルのサブセット、非ＲＳ  ＯＦＤＭシンボルに割り当てられたＥＰＲＥ(Energy  Per  Resource  Element)電力であるＰＢ，Ｋ、及び副搬送波当たりＲＳ電力であるＰＲＳを有し、オーバーヘッド信号と特定のトラフィック対パイロット比ＰＢ，Ｋ/ＰＲＳを受信する少なくとも一つのアンテナと、
前記受信されたトラフィック対パイロット(Ｔ２Ｐ)ＰＢ，Ｋ/ＰＲＳと、前記ＲＳオーバーヘッド信号に対応する前記ＲＳオーバーヘッド比及び前記Ｔ２Ｐ計算方法に基づいて送信アンテナ構成によって前記Ｔ２Ｐを計算する電力設定部と、
を含むことを特徴とする無線端末。
【請求項２０】
無線端末で伝送電力を割り当てる方法であって、
前記無線端末は伝送に利用可能な複数のＯＦＤＭシンボルを有し、前記ＯＦＤＭシンボルのサブセットが基準信号を伝送するために使用され、前記割り当て方法は、
ＰＢによって示される半静的(semi-static)パラメータを放送チャンネルから受信するステップと、
前記リソース要素の第１の集合の中にトラフィックデータＥＰＲＥ対パイロットＥＰＲＥの比(Ｔ２Ｐ)が
【数９】
2011509621.tif 000055
で示され、前記基準信号を伝送しないＯＦＤＭシンボルでリソース要素の第１の集合の間に同一のＥＰＲＥ(Energy  Per  Resource  Element)比を割り当てるステップと、
前記リソース要素の第２の集合の間にトラフィックデータＥＰＲＥ対パイロットＥＰＲＥの比(Ｔ２Ｐ）が
【数１０】
2011509621.tif 000056
で示され、
【数１１】
2011509621.tif 000057
の比が次の表に基づいて半静的パラメータＰＢと半静的パイロット電力オーバーヘッドパラメータηＲＳのうちの一つによって決定され、前記基準信号を伝送するＯＦＤＭシンボルでリソース要素の第２の集合の間に同一のＥＰＲＥ比を割り当てるステップと、
を具備することを特徴とする方法。
【表５】
2011509621.tif 000058
【発明の詳細な説明】
【技術分野】
【０００１】
本発明は、通信システムにおけるダウンリンクＰＤＳＣＨ(Physical  Downlink  Shared  Channel)の電力設定情報を伝送する方法及び装置に関するものである。
【背景技術】
【０００２】
本出願は、３７Ｃ.Ｆ.Ｒ.§１.５７によって、下記の刊行物(publications)を参照することにより組み込まれる。
[１].“Chairman’s  notes”，3GPP  RAN  WG1#51，(２００７年１１月、韓国、済州)
[２].R1-075077，“Way-forward  on  Data  Power  Setting  for  PDSCH  across  OFDM  Symbols”(三星、ＬＧ電子、Nortel、Qualcommなど、２００７年１１月、韓国、済州)
[３]．R1-080047，“Further  Discussion  on  Data  Power  Setting  for  PDSCH”(三星、２００８年１月、スペイン、セビリア)
[４]．R1-081600，“Draft  LS  on  information  about  RAN1decision  regarding  downlink  power  settings”，(ノキア、中国、深川)
[５]．3GPP  TS  36.213  Standard，Version8.3.0
[６]．米国の仮特許出願  No.60/963，681，“Pilot  boosting  and  traffic-to-pilot  ratio  estimation  in  a  wireless  communication  system”(２００７年８月７日に出願)。
【０００３】
２００７年１１月に済州で開かれたＲＡＮ１＃５１の会議[１][２]では、すべての直交周波数分割多重(ＯＦＤＭ)シンボルに対してｅＮｏｄｅＢ(すなわち、基地局)での効率的な電力及び帯域幅の利用を可能にすると同時に、データ対基準信号(Reference  Signal：ＲＳ)ＥＰＲＥ(Energy  Per  Resource  Element)比のためのシグナリング又は推定努力を最小化するために、次のような事項に合意した。
【０００４】
・各ＵＥに対して、ＲＳを含むすべてのＯＦＤＭシンボルでリソース要素(Resource  Element：ＲＥ)の間にＰＤＳＣＨ(Physical  Downlink  Shared  Channel)対ＲＳ  ＥＰＲＥ比が同一であり、これをＰ_Ａで表される。
【０００５】
・各ＵＥに対して、ＲＳを含まないすべてのＯＦＤＭシンボルでＲＥの間にＰＤＳＣＨ対ＲＳ  ＥＰＲＥ比は同一であり、これをＰ_Ｂで表される。
【０００６】
・各ＵＥに対して、Ｐ_ＡとＰ_Ｂは相互に異なるＰＤＳＣＨ  ＥＰＲＥによって潜在的に異なる。
【０００７】
・Ｐ_ＡとＰ_Ｂとの間の比はＵＥで知られている。この比は、シグナリングされたＲＳブースティング値から、そしてこの比を得るために必要な他のシグナリングから得ることができる。
【０００８】
データ副搬送波のような基準信号以外の副搬送波のための各アンテナポートから利用可能な電力は、ＯＦＤＭシンボルによって多様であることに注意する。他のポートが利用可能な余分の電力を有していても、電力レベルは、与えられたアンテナポートから利用可能な最小電力レベルに限定されるので、これら副搬送波でアンテナにわたって同一の電力レベルを維持することは、電力の非効率的な利用をもたらす。同様に、他のＯＦＤＭシンボルが利用可能な余分の電力を有しても、電力レベルは、一つのＯＦＤＭシンボルで利用可能な最小電力レベルに制限されるので、これら副搬送波でＯＦＤＭシンボルにわたって電力レベルを同一に維持することも、電力非効率的な利用をもたらす。電力レベルをシンボルにわたって同一に維持するために、他の解決方法は、パイロット信号を含むＯＦＤＭシンボルで一部データ副搬送波を穿孔(puncture)することである。しかしながら、このような方法は、副搬送波リソースの浪費をもたらすことによってシステムの性能及び容量を低減させる。
【発明の概要】
【発明が解決しようとする課題】
【０００９】
したがって、本発明の目的は、複数の送信アンテナの間でデータの無線通信中に電力を効率的に利用する改善された方法及び回路を提供することにある。
【００１０】
本発明の他の目的は、ダウンリンクＰＤＳＣＨで電力設定情報を伝送する方法及び回路を提供することにある。
【課題を解決するための手段】
【００１１】
上記のような目的を達成するために、本発明の一態様によれば、無線端末でトラフィック対パイロット比を計算する方法が提供される。トラフィック対パイロット比を計算するための表は、無線端末で設定される。無線端末は、データ伝送に利用可能な複数のＯＦＤＭシンボルを有し、ＯＦＤＭシンボルのサブセットは基準信号を伝送するために使用される。特定のＯＦＤＭシンボルに対するＲＳオーバーヘッド比ηＲＳとトラフィック対パイロット比ＰＢ，Ｋ/ＰＲＳは無線端末で受信される。ＰＢ，Ｋは、非ＲＳ  ＯＦＤＭシンボルで割り当てられたユーザー特定のＥＰＲＥ電力であり、ＰＲＳは副搬送波当たりＲＳ電力である。無線端末は、計算表と無線端末で利用可能な送信アンテナの数に基づいて相互に異なる送信アンテナ及び相互に異なるＯＦＤＭシンボルにわたったトラフィック対パイロットを計算する。
【００１２】
本発明の他の態様によれば、無線端末に電力設定情報を伝送する方法が提供される。トラフィック対パイロット比(Ｔ２Ｐ)を計算するための複数の方法が設定される。また、複数のオーバーヘッド信号Ｒ_ｏｖｈｄと、複数のＲＳオーバーヘッド比ηＲＳ、及び複数のＴ２Ｐ計算方法間のマッピング方式が設定される。特定のＯＦＤＭシンボルに対するユーザー特定のトラフィック対パイロット比ＰＢ，Ｋ/ＰＲＳは、無線端末に割り当てられる。ＲＳオーバーヘッド比ηＲＳと、複数のＴ２Ｐ計算方法から選択された計算方法は前記無線端末に割り当てられる。その後、割り当てられたＲＳオーバーヘッド比ηＲＳと割り当てられたＴ２Ｐ計算方法ともに対応するオーバーヘッド信号Ｒ_ｏｖｈｄは、マッピング方式によって選択されて無線端末に伝送される。また、ユーザー特定のトラフィック対パイロット比ＰＢ，Ｋ/ＰＲＳは、無線端末に伝送される。
【００１３】
ＲＳオーバーヘッド信号Ｒ_ｏｖｈｄは、セル特定放送メッセージとユーザー特定ＲＲＣ(Radio Resource Control)メッセージのうちの一つを通じて転送されることができる。セル特定放送メッセージは、１次ＢＣＨ(Broadcast Channel)メッセージと動的ＢＣＨメッセージのうちいずれか一つに含まれることができる。
【００１４】
特定トラフィック対パイロット比ＰＢ，Ｋ/ＰＲＳは、ＲＲＣメッセージを通じて半静的(semi-static)、又はＰＤＣＣＨ(Physical Downlink Control Channel)メッセージを通じて動的に転送されることができる。
【００１５】
また、本発明の他の態様によれば、無線端末でトラフィック対パイロット比を計算する方法が提供される。無線端末は、ＲＳオーバーヘッド比とＴ２Ｐ比を計算する方法ともを示すＲＳオーバーヘッド信号と、特定のトラフィック対パイロット比ＰＢ，Ｋ/ＰＲＳを受信する。この無線端末は、受信されたトラフィック対パイロット比ＰＢ，Ｋ/ＰＲＳ、ＲＳオーバーヘッド信号によって示されるＲＳオーバーヘッド比及びＴ２Ｐ計算方法に基づいて相互に異なる送信アンテナ及び相互に異なるＯＦＤＭシンボルにわたったＴ２Ｐ比を計算する。
【００１６】
さらに、本発明の他の態様によれば、無線端末に電力設定情報を伝送する方法が提供される。異なるＯＦＤＭシンボル及び異なる送信アンテナに対する複数のトラフィック対パイロット比ＰＡ，Ｋ/ＰＲＳ及びＰＢ，Ｋ/ＰＲＳは、無線端末に割り当てられる。それから、割り当てられたトラフィック対パイロット比ＰＡ，Ｋ/ＰＲＳ及びＰＢ，Ｋ/ＰＲＳは、この無線端末に明確に伝送される。
【図面の簡単な説明】
【００１７】
【図１】本発明の原理を実現するために適切なＯＦＤＭ送受信器チェーンを概略的に示す図である。
【図２】本発明の原理を実現するために適切なＭＩＭＯ(Multiple Input Multiple Output)送受信機チェーンを概略的に示す図である。
【図３】本発明の原理を実現するために適切な４個の送信アンテナ(４Ｔｘ)を介して一つのサブフレーム内の６個の副搬送波にわたった基準信号伝送の一例を概略的に示す図である。
【図４】本発明の原理を実現するために適切な２個の送信アンテナ(２Ｔｘ)を介して一つのサブフレーム内の６個の副搬送波にわたった基準信号伝送の一例を概略的に示す図である。
【図５】本発明の原理を実現するために適切な１個の送信アンテナ(１Ｔｘ)を介して一つのサブフレーム内の６個の副搬送波にわたった基準信号伝送の一例を概略的に示す図である。
【図６】４個の送信アンテナに対するＯＦＤＭシンボル１及び２でダウンリンク基準信号のマッピングの一例を概略的に示す図である。
【図７】本発明の原理による一実施形態として、基地局(ｅＮｏｄｅＢ）とユーザー端末を含む無線システムを概略的に示す図である。
【図８】本発明の原理によって構成された一実施形態として、基地局(ＢＳ)でダウンリンク電力設定情報を伝送する手順を概略的に示すフローチャートである。
【図９】本発明の原理によって構成された一実施形態として、ユーザー端末のユニットで電力設定情報を計算する手順を概略的に示すフローチャートである。
【発明を実施するための形態】
【００１８】
本発明では、通信システムにおいて性能を向上させ、チャンネル品質指示フィードバックのオーバーヘッドを減少させるための方法及び装置を提案する。
【００１９】
本発明の態様、特徴、及び長所は、本発明を実施するために予想される最上のモードを含む多くの特定の実施形態及び実現を例示することによって下記の詳細な説明から明白になる。また、本発明は、他の実施形態及び多様な実施形態で実現可能であり、さまざまな詳細は、本発明の精神及び範囲から逸脱することなく、多様で明らかな側面で変更が可能である。したがって、図面及び説明は、事実上例示的なものと見なされ、限定的なものとは見なされない。本発明は、添付の図面で、限定でなく、例として示される。
【００２０】
図１は、ＯＦＤＭ送受信器チェーンを示す。ＯＦＤＭ技術を用いる通信システムにおいて、送信器チェーン１１０で、制御信号又はデータ１１１は、変調器１１２によって変調され、直列/並列(Ｓ/Ｐ)コンバータ１１３によって直列から並列に変換される。逆高速フーリエ変換(Inverse Fast Fourier Transform：ＩＦＦＴ)部１１４は、信号を周波数領域から時間領域に伝送するのに使用される。サイクリックプレフィックス(ＣＰ)又はゼロプレフィックス(ＺＰ)は、多重経路フェージングによる影響を避け、あるいは緩和するために、ＣＰ挿入部１１６によって各ＯＦＤＭシンボルに付加される。したがって、信号は、送信器(Ｔｘ)フロントエンド処理部１１７及び少なくとも一つのアンテナ(図示せず)、又は固定ワイヤー又はケーブルによって伝送される。信号は、 Ｔｘフロントエンド処理部１１７によって駆動される一つ又はそれ以上のアンテナから大気を通じて伝送され、多重経路フェージングを受けて受信器に到着する。図１に示す多重経路フェージングチャンネルは、伝送媒体(例えば、大気)を表し、多重経路フェージングチャンネルは、受信器又は伝送器に接続された構成要素でないことに留意する。受信器チェーン１２０では、最適のタイム及び周波数同期化がなされたという仮定の下に、受信器(Ｒｘ)フロントエンド処理部１２１によって受信された信号は、ＣＰ除去部１２２によって処理される。高速フーリエ変換(ＦＦＴ)部１２４は、後続処理のために、受信された信号を時間領域から周波数領域に伝送する。
【００２１】
ＯＦＤＭシステムの全体帯域幅は、副搬送波と呼ばれる狭帯域周波数単位に分割される。副搬送波の数は、システムで使用されるＦＦＴ/ＩＦＦＴサイズＮと同一である。一般的に、周波数スペクトルのエッジで一部の副搬送波が保護副搬送波として確保(reserve)されるため、データに使用される副搬送波の数は、Ｎより小さい。一般的に、保護副搬送波上には情報が伝送されない。
【００２２】
時間領域の多重搬送波信号の基本構成は、一般的にタイムフレーム、タイムスロット、及びＯＦＤＭシンボルからなる。一つのフレームは多数のタイムスロットで構成される一方で、各タイムスロットは多くのＯＦＤＭシンボルで構成される。ＯＦＤＭ時間領域波形は、周波数領域のＯＦＤＭ信号にＩＦＦＴを適用することによって生成される。ＣＰとして知られている時間波形の最後部分のコピーは、ＯＦＤＭシンボルを形成するためにその波形の開始部分に挿入される。循環プレフィックスの延長を通じて、受信器でＦＦＴを遂行するために要求されるサンプルは、このシンボルの長さにわたってどこでも得られることができる。これは、シンボル時間同期化誤りに対する許容誤差(tolerance)だけでなく多重経路耐性(multipath  immunity)を提供する。
【００２３】
多重入力多重出力(ＭＩＭＯ)方式は、無線通信チャンネルの容量と信頼性を向上させるために多重送信アンテナ及び多重受信アンテナを使用する。ＭＩＭＯシステムは、Ｋで容量の線形的増加を保証し、ここで、Ｋは、送信アンテナ(Ｍ)及び受信アンテナ(Ｎ)の数の最小値、すなわちＫ＝ｍｉｎ(Ｍ，Ｎ)である。４×４ＭＩＭＯシステムの簡単な例は、図２に示されている。この例において、４個の相互に異なるストリームは、４個の送信アンテナから別途に伝送される。伝送された信号は、４個の受信アンテナで受信される。一部形態の空間信号処理は、４個のデータストリームを回復するために受信された信号に対して遂行される。空間信号処理の一例は、Ｖ-ＢＬＡＳＴ(Virtical Bell Laboratories Layered Space-Time)であるが、これは、伝送されたデータストリームを回復するために連続干渉除去原理を使用する。ＭＩＭＯ方式の他の変形は、送信アンテナにわたって区間-時間コーディングを遂行する方式(例えば、Ｄ-ＢＬＡＳＴ(Diagonal Bell Laboratories Layered Space-Time))及びＳＤＭＡ(Spatial Division Multiple Access)のようなビーム形成方式を含む。
【００２４】
３ＧＰＰ ＬＴＥ(3rd  Generation Partnership Project Long Term Evolution)システムにおいて、４個の送信アンテナに対するダウンリンク基準信号マッピングは、図３に示されている。ＲＰは、アンテナポートpで基準信号伝送のために使用されるリソース要素を表す。アンテナポート２及び３での密度は、アンテナポート０及び１での密度の半分であることに注意する。これは、アンテナポート０及び１に対するチャンネル推定値に比べてアンテナポート２及び３に対するチャンネル推定値がさらに弱くなる。
【００２５】
同様に、図４は、３ＧＰＰ  ＬＴＥシステムで２個の送信アンテナに対するダウンリンク基準信号マッピングを概略的に示す。図５は、３ＧＰＰ  ＬＴＥシステムで１個の送信アンテナに対するダウンリンク基準信号マッピングを概略的に示す。
【００２６】
４個のアンテナポートの各々から最初の３個のＯＦＤＭシンボル内の６個の副搬送波にわたった基準信号伝送の一例を、図６に示す。基準信号以外の副搬送波、例えばデータ副搬送波に対して各アンテナポートから利用可能な電力は、ＯＦＤＭシンボルによって異なる。他のポートが利用可能な余分の電力を有しても、電力レベルは与えられたアンテナポートから利用可能な最小電力レベルに限定されるため、これら副搬送波でアンテナにわたって同一の電力レベルを維持することは、電力の非効率的な使用をもたらす。同様に、他のＯＦＤＭシンボルが利用可能な余分の電力を有しても、電力レベルは一つのＯＦＤＭシンボルで利用可能な最小電力レベルに限定されるため、これら副搬送波でＯＦＤＭシンボルにわたって電力レベルを同一に維持することは、電力の非効率的な使用をもたらす。他の解決方法は、電力レベルを上記シンボルにわたって同一に維持するために、パイロットを含むＯＦＤＭシンボルで一部のデータ副搬送波を穿孔することである。しかしながら、この方法は、副搬送波リソースの浪費をもたらしてシステム性能及び容量を低下させる。
【００２７】
１．１，２，４ｅＮｏｄｅＢ送信アンテナ(１，２，４Ｔｘ)の場合に対してすべてのＯＦＤＭシンボルでトラフィック対パイロット(Ｔ２Ｐ)比を計算する方法
本発明の原理による第１の実施形態において、ＲＳ  ＯＦＤＭシンボルで全体電力のパーセント(percentage)としてのＲＳオーバーヘッドによって表されるＲＳブースティング値からＰ_Ａ/Ｐ_Ｂ比を計算する方法を示す。さらに、提案された方法から獲得されたＰ_Ａ/Ｐ_Ｂ比を用いて、１,２又は４送信アンテナ(１,２，又は４Ｔｘ)である場合に対して、異なる送信アンテナにわたってすべてのＯＦＤＭシンボルでのＴ２Ｐ比を特定することができる。
【００２８】
非(non)-ＲＳ  ＯＦＤＭシンボルで利用可能な全データ電力をＥＢとし、ＲＳ  ＯＦＤＭシンボルで利用可能な全データ電力をＥＡ＝(１−ηＲＳ)ＥＢとする。ここで、ηＲＳは、ＲＳ  ＯＦＤＭシンボルの総電力のパーセントとしての全体ＲＳ電力である。ｋ番目のユーザー(すなわち、ＵＥ)に対して、(ＰB,K  ＮB,K)対は、ＥＰＲＥ電力及び非ＲＳ  ＯＦＤＭシンボルで割り当てられた副搬送波の数とし、(ＰA,K  ＮA,K)対は、ＥＰＲＥ電力及びＲＳ  ＯＦＤＭシンボルで割り当てられた副搬送波の数とする。
【００２９】
１.２個のＴｘ(２ｅＮｏｄｅＢ送信アンテナ)及び４個のＴｘの場合に対して
ＬＴＥでＲＳ構造のため、
【数１】
2011509621.tif 000003
であり、副搬送波の６個に２個はＲＳ  ＯＦＤＭシンボルでＲＳのために確保されている(図１及び図２を参照)。また、２個のデータＥＰＲＥ間の比は、次のように提案される。
【００３０】
【数２】
2011509621.tif 000004
ここで、ｋ＝１，…，Ｋであり、ここで、Ｋは、予定されたＵＥの全体個数である。上記の比は、ＲＳ及び非ＲＳ  ＯＦＤＭシンボルともに同時に最大電力を使用可能にすることに留意する。これをわかるために、
【数３】
2011509621.tif 000005
すなわち最大電力が非ＲＳ  ＯＦＤＭシンボルで使用される非ＲＳ  ＯＦＤＭシンボルに対する電力制御ポリシーを仮定すると、下記の式を検証することが容易である。
【００３１】
【数４】
2011509621.tif 000006
これは、ＲＳ  ＯＦＤＭシンボルで電力の完全な利用を示している。
【００３２】
２．１個のＴｘの場合に対して
ＬＴＥでＲＳ構造のため、
【数５】
2011509621.tif 000007
であり、ここで、副搬送波の６個に１個はＲＳ  ＯＦＤＭシンボルでＲＳのために確保されている(図３を参照)。さらに、２個のデータＥＰＲＥ間の比は、次のように提案される。
【００３３】
【数６】
2011509621.tif 000008
相互に異なるアンテナ及び異なるＯＦＤＭシンボルに対するＴ２Ｐ比を示す表に整理する。‘ｉ’は、ＯＦＤＭシンボルインデックスであり、ｉ＝１，…，１４であり、ｔは送信アンテナインデックスであることに注意する。
【００３４】
＜表１＞は、１Ｔｘの場合に対して一つのサブフレーム内のすべてのＯＦＤＭシンボル及びすべてのアンテナに対するＴ２Ｐを示す。ここで、ｉ∈{１，５，８，１２}は、通常のＣＰ状況でＲＳを有するＯＦＤＭシンボルの集合であり、これに対してｉ∈{２,３,４,６,７，９，１０，１１，１３，１４}は、１Ｔｘを有する通常のＣＰ状況でＲＳを包含しないＯＦＤＭシンボルの集合である。
【表１】
2011509621.tif 000009
【００３５】
＜表２＞は、２Ｔｘの場合に対して、一つのサブフレーム内のすべてのＯＦＤＭシンボル及びすべてのアンテナでのＴ２Ｐを示す。ここで、ｉ∈{１，５，８，１２}は、通常のＣＰ状況でＲＳを有するＯＦＤＭシンボルの集合である一方、ｉ∈{２,３,４,６,７，９，１０，１１，１３，１４}は、２Ｔｘを有する通常のＣＰ状況でＲＳを包含しないＯＦＤＭシンボルの集合である。
【表２】
2011509621.tif 000010
【００３６】
＜表３＞は、４Ｔｘの場合に対して、一つのサブフレーム内のすべてのＯＦＤＭシンボル及びすべてのアンテナに対するＴ２Ｐを示す。ここで、ｉ∈{１，２，５，８，９，１２}は、通常のＣＰ状況でＲＳを有するＯＦＤＭシンボルの集合である一方、ｉ∈{３,４,６,７，１０，１１，１３，１４}は、４Ｔｘを有する通常のＣＰ状況でＲＳを包含しないＯＦＤＭシンボルの集合である。
【表３】
2011509621.tif 000011
ｋ番目のＵＥは、ＰA,Kを得るためにＰB,K及びＲＳオーバーヘッド比をわかる必要がある。実際に、Ｔ２Ｐ比は、実際の電力よりよく使用されるので、ｋ番目のＵＥはＰA,K/ＰRSを得るためにＰB,K/ＰRS及びＲＳオーバーヘッド比ηＲＳをわかる必要がある。ここで、ＰRSは副搬送波当たりＲＳ電力である。
【００３７】
この比は、ＲＳ及び非ＲＳ  ＯＦＤＭシンボルともに電力の完全な使用を可能にする同時に、常に全体電力が使用されることを要求しないことに注意することが重要である。事実上、簡単にＫ個のＵＥから一つのＵＥを除去すると、ｅＮＢ電力が完全に使用されない例を提供する。
【００３８】
例(２Ｔｘの場合)
(１)ηＲＳ＝１/３であると、
【数７】
2011509621.tif 000012
である。これは、ＲＳオーバーヘッドに使用される全体電力と全体帯域幅のパーセントが同一の場合である。この場合を、時々“非ブースティングされた(non-boosted)ＲＳ”と呼ぶ。
【００３９】
(２)ηＲＳ＝２/３であると、
【数８】
2011509621.tif 000013
である。これは、帯域幅よりさらに多くのパーセントの電力がＲＳオーバーヘッドに使用される、いわゆる“ブースティングされた”場合の例である。ＲＳ  ＯＦＤＭシンボルでデータＲＥ電力がＲＳ“ブースティング”のために減少されなければならないことに注意する。
【００４０】
２．４個のＴｘの場合にＴ２Ｐ比を計算するための他の代案
４Ｔｘの場合に対して、＜表３＞によってＴ２Ｐを設定すると、ＲＳ  ＯＦＤＭシンボルに対してすべてのアンテナが全体電力で伝送できないことに注目すべきである。これは、与えられたＯＦＤＭシンボルに対して、アンテナの半分のみがＲＳを伝送し、他のＲＳは伝送しないという事実のためである。ＲＳ  ＯＦＤＭシンボルですべてのアンテナにわたって同一のＴ２Ｐが要求されると、＜表４＞の解決方法に限定される。
【００４１】
本発明の原理による第２の実施形態において、アンテナ及びＯＦＤＭシンボルともにわたってＴ２Ｐ値を異にして一つの可能な４Ｔｘ解決策として次のような表が得られる。
【表４】
2011509621.tif 000014
【００４２】
本発明の原理による第３の実施形態では、４ＴｘアンテナがＲＳ  ＯＦＤＭシンボルでＲＳ電力オーバーヘッドを共有するようにする。これは、相互に異なる物理アンテナの間に電力を共有するように仮想アンテナを用いる方式により達成できる。この場合、仮想アンテナは、基本的に既存の物理アンテナに適用される固定されたプリコーディング(pre-coding)ベクトルであり、その結果すべての物理アンテナ上で電力を潜在的に使用できる。その結果、アンテナとＯＦＤＭシンボルにわたったＴ２Ｐ比は、＜表５＞によって得られる。
【００４３】
【表５】
2011509621.tif 000015
【００４４】
３．ＤＬ  ＰＤＳＣＨ電力設定に関連したパラメータのシグナリング
ｅＮｏｄｅＢ(ｅＮＢ)がηＲＳの離散レベルをサポートし、ηＲＳレベルを表すために数ビット(例えば、３ビット）を使用できることがわかる。また、上記したように＜表１＞〜＜表５＞のうちいずれか一つによって、ηＲＳレベルとすべてのアンテナにわたったすべてのＴ２Ｐ比を計算する方法ともを示すｅＮｏｄｅＢシグナリングとしてＲ_ｏｖｈｄを示す。
【００４５】
本発明の原理による第４の実施形態において、Ｒ_ｏｖｈｄをηＲＳレベル及びＴ２Ｐ比の計算方法にマッピングする一つの方法は、下記の＜表６＞に示す。この例に３ビットのＲ_ｏｖｈｄの一例が示され、４Ｔｘの場合が仮定される。この例において、＜表３＞に明示された方法はすべてのＲ_ｏｖｈｄエントリに対して使用されることに注意する。Ｒ_ｏｖｈｄに使用されるビットの数は、この例で使用される３ビット以外の数となり得る。
【００４６】
【表６】
2011509621.tif 000016
【００４７】
(同一のＴ２Ｐ計算方法がすべてのエントリに適用される)同様の表は、１Ｔｘの場合に対して＜表１＞の方法で、２Ｔｘの場合に対して＜表２＞の方法で、４Ｔｘの場合に対して＜表４＞の方法で、そして４Ｔｘの場合に対して＜表５＞方法で構成されることができる。
【００４８】
例えば、２Ｔｘ ｅＮｏｄｅＢの送信アンテナの場合に対する３ビットのＲ-ｏｖｈｄ設計は、下記の＜表７＞に示され、ここですべてのＲ_ｏｖｈｄエントリは、＜表２＞に明示されたＴ２Ｐ計算方法を使用する。
【００４９】
【表７】
2011509621.tif 000017
【００５０】
本発明の原理による第５の実施形態では、Ｒ_ｏｖｈｄをηＲＳレベル及びＴ２Ｐ比の計算方法にマッピングする方法が、次の＜表８＞に示される。この例に３ビットのＲ_ｏｖｈｄの一例が示され、４Ｔｘの場合が一例として仮定される。この例において、異なる方法が異なるエントリに使用できることに注目する。すなわち、最初の５個のエントリは＜表３＞に明示されたＴ２Ｐ計算方法を使用し、これに対して最後の３個のエントリは＜表５＞に明示されたＴ２Ｐ計算方法を使用する。
【００５１】
【表８】
2011509621.tif 000018
【００５２】
本発明の原理による第６の実施形態では、ＲＳオーバーヘッド信号Ｒ_ｏｖｈｄをセル特定放送メッセージ又はＵＥ特定無線リソース制御(ＲＲＣ)メッセージに含めることを提案する。セル特定放送メッセージは、１次ＢＣＨ（Broadcast channel）メッセージ又は(ＳＵとも知られている)動的ＢＣＨメッセージに含まれることができることに留意する。これは、 ｋ番目のＵＥに対する
【数９】
2011509621.tif 000019
のＵＥ特定シグナリングに付加でき(このような
【数１０】
2011509621.tif 000020
信号がｅＮＢから伝送される場合)、ここで、ＵＥ特定シグナリングは、ＲＲＣシグナリングを通じて半静的であり、あるいはＰＤＣＣＨ(Physical Downlink Control Channel)シグナリングを通じて動的であることができる。
【００５３】
Ｒ_ｏｖｈｄを受信した後に、ＵＥは、Ｒ_ｏｖｈｄのマッピング表(この表の例は表６〜８に示す）を参照して、ηＲＳレベルとすべてのアンテナ及びすべてのＯＦＤＭシンボルにわたったＴ２Ｐ比の計算方法を得る。その後、ＵＥは、得られたηＲＳ及び
【数１１】
2011509621.tif 000021
用いて、Ｒ_ｏｖｈｄ値からデコーディングされたＴ２Ｐ比を計算する方法によって、異なるアンテナ及びＯＦＤＭシンボルにわたったすべての他のＴ２Ｐを計算する。
【００５４】
図７は、本発明の原理による実施形態として、基地局(ｅＮｏｄｅＢ）とユーザー端末を含む無線システムを概略的に示す。図７に示すように、基地局２１０は、メモリ部２１２、電力設定部２１４、及び少なくとも一つのアンテナを含むアンテナ部２１６で構成される。メモリ部２１２は、＜表１＞〜＜表５＞に与えられたようにトラフィック対パイロット比(Ｔ２Ｐ)を計算するための複数の方法を貯蔵し、＜表６＞〜＜表８＞に与えられたように複数のオーバーヘッド信号と、複数のＲＳオーバーヘッド比、及び複数のＴ２Ｐ計算方法の間のマッピング方式を貯蔵する。電力設定部２１４は、ユーザー特定トラフィック対パイロット比ＰB,K/ＰRS、ＲＳオーバーヘッド比ηＲＳ、及び複数のＴ２Ｐ計算方法から選択された計算方法をユーザー端末２２０に割り当てる。アンテナ部２１６は、マッピング方式によって割り当てられたＲＳオーバーヘッド比ηＲＳと割り当てられたＴ２Ｐ計算方法ともに対応するオーバーヘッド信号と、ユーザー特定トラフィック対パイロット比ＰB,K/ＰRSとをユーザー端末２２０に伝送する。
【００５５】
同様に、図７に示すように、ユーザー端末２２０は、メモリ部２２４、電力設定部２２６、及び少なくとも一つのアンテナを含むアンテナ部２２２で構成される。アンテナ部２２２は、基地局２１０からオーバーヘッド信号及びユーザー特定トラフィック対パイロット比ＰB,K/ＰRSを受信する。メモリ部２２４は、＜表１＞〜＜表５＞に与えられたようにトラフィック対パイロット比(Ｔ２Ｐ)を計算するための複数の方法を貯蔵し、＜表６＞〜＜表８＞に与えられたように複数のオーバーヘッド信号と、複数のＲＳオーバーヘッド比、及び複数のＴ２Ｐ計算方法の間のマッピング方式を貯蔵する。電力設定部２２６は、受信されたＲＳオーバーヘッド信号とメモリ部に貯蔵されたマッピング方式に基づいてＲＳオーバーヘッド比とＴ２Ｐ計算方法を決定し、受信されたトラフィック対パイロット比ＰB,K/ＰRS、及びＲＳオーバーヘッド比及びＴ２Ｐ計算方法に基づいて異なる送信アンテナ及び異なるＯＦＤＭシンボルにわたったＴ２Ｐを計算する。
【００５６】
図８は、本発明の原理による一実施形態として、基地局(ＢＳ)でダウンリンク電力設定情報を伝送する手順を概略的に示すフローチャートである。まず、Ｔ２Ｐを計算するための複数の方法は、ＢＳで設定され貯蔵される(ステップ３１０)。その後、複数のオーバーヘッド信号Ｒ_ｏｖｈｄと、複数のＲＳオーバーヘッド比ηＲＳ、及び複数のＴ２Ｐ計算方法の間のマッピング方式は、ＢＳで設定及び貯蔵される(ステップ３１２)。特定ＯＦＤＭシンボルに対するユーザー特定トラフィック対パイロット比ＰB,K/ＰRS、ＲＳオーバーヘッド比ηＲＳ、及び複数のＴ２Ｐ計算方法から選択された一つの計算方法は、ユーザー端末のユニットに割り当てられる(ステップ３１４)。割り当てられたＲＳオーバーヘッド比ηＲＳと割り当てられたＴ２Ｐ計算方法ともに対応するオーバーヘッド信号Ｒ_ｏｖｈｄは、マッピング方式によって決定される(ステップ３１６)。最後に、ユーザー特定トラフィック対パイロット比ＰB,K/ＰRSとオーバーヘッド信号Ｒ_ｏｖｈｄは、ユーザー端末に伝送される(ステップ３１８)。
【００５７】
図９は、本発明の原理による一実施形態として、ユーザー端末のユニットで電力設定情報を計算する手順を概略的に示すフローチャートである。まず、Ｔ２Ｐを計算するための複数の方法は、ＵＥで設定され貯蔵される(ステップ４１０)。その後、複数のオーバーヘッド信号Ｒ_ｏｖｈｄと、複数のＲＳオーバーヘッド比ηＲＳ、及び複数のＴ２Ｐ計算方法の間のマッピング方式は、ＵＥで設定及び貯蔵される(ステップ４１２)。ＵＥは、ＲＳオーバーヘッド信号と特定トラフィック対パイロット比ＰB,K/ＰRSを受信する(ステップ４１４)。ＵＥは、マッピング方式に基づいてＲＳオーバーヘッド比とＴ２Ｐ比の計算方法ともを決定する(ステップ４１６)。ＵＥは、受信されたトラフィック対パイロット比ＰB,K/ＰRS、決定されたＲＳオーバーヘッド比、及びＴ２Ｐ計算方式に基づいて異なる送信アンテナ及び異なるＯＦＤＭシンボルにわたったＴ２Ｐを計算する(ステップ４１８)。
【００５８】
本発明の原理による第７の実施形態では、ｋ番目のＵＥに対して、ＲＲＣシグナリングを通じて半静的にＵＥ特定の
【数１２】
2011509621.tif 000022
比又はＵＥ特定の
【数１３】
2011509621.tif 000023
比を伝送することを提案する。これは、ｋ番目のＵＥに対する
【数１４】
2011509621.tif 000024
のＵＥ特定シグナリングに追加され、このＵＥ特定シグナリングは、ＲＲＣシグナリングを通じて半静的であり、あるいはＰＤＣＣＨシグナリングを通じて動的であり得る。この場合に、ＵＥ側では、すべてのＴ２Ｐ比は、ｅＮＢからのシグナリングから直接決定される。
【００５９】
本発明の原理による第８の実施形態では、ｅＮｏｄｅＢがダウンリンク伝送ＥＰＲＥを決定する。
【００６０】
ＵＥは、異なるＲＳ電力情報が受信されるまで、ダウンリンク基準シンボルＥＰＲＥがダウンリンクシステムの帯域幅にわたって一定であり、すべてのサブフレームにわたって一定であると仮定することができる。
【００６１】
各ＵＥに対して、ＲＳを含んでいないすべてのＯＦＤＭシンボルでＰＤＳＣＨ  ＲＥの間にＰＤＳＣＨ対ＲＳ  ＥＰＲＥ比は同一であり、
【数１５】
2011509621.tif 000025
で表す。ＵＥは、１６ＱＡＭ又は６４ＱＡＭ又はＲＩ＞１空間多重化の場合、
【数１６】
2011509621.tif 000026
はＰＡと同一であり、このＰＡは、３ビットを用いて[３，２，１，０，-１，-２，-３，-６]の範囲で上位階層によってｄＢにシグナリングされるＵＥ特定半静的パラメータである。
【００６２】
各ＵＥに対して、ＲＳを含むすべてのＯＦＤＭシンボルでＰＤＳＣＨ  ＲＥの間にＰＤＳＣＨ対ＲＳ  ＥＰＲＥ比は同一であり、
【数１７】
2011509621.tif 000027
で表す。セル特定比
【数１８】
2011509621.tif 000028
は、上位階層によってシグナリングされるセル特定パラメータＰＢ及び構成されたｅＮｏｄｅＢセル特定アンテナポートの個数に従って＜表９＞によって与えられる。
【００６３】
【表９】
2011509621.tif 000029
【００６４】
１６ＱＡＭ又は６４ＱＡＭのＰＭＣＨに対して、ＵＥは、ＰＭＣＨ対ＲＳ  ＥＰＲＥ比が０ｄＢと同一であると仮定することができる。
【００６５】
上記の＜表９＞において、参照文献[５](TS 36.213 version 8.3.0)の概念を使用することに留意すべきである。＜表１０＞は、原本ＤＯＩ、参照文献[１](Chairmen’s note 2007、済州)及び参照文献[５](TS 36.213 version 8.3.0)で使用される表記との差異を要約する。
【００６６】
【表１０】
2011509621.tif 000030
【００６７】
これから＜表１＞〜<表３＞について詳細に説明する。＜表１＞〜＜表３＞において、２番目の列は、ＲＳを含むＯＦＤＭシンボルに対するＴ２Ｐであり、一つのアンテナである場合に
【数１９】
2011509621.tif 000031
であり、２個又は４個のアンテナである場合には
【数２０】
2011509621.tif 000032
である。すなわち、一つのアンテナの場合には
【数２１】
2011509621.tif 000033
で、２個又は４個のアンテナである場合には
【数２２】
2011509621.tif 000034
である。
【００６８】
現在、ηＲＳは１/６，１/３，３/６，４/６と同一であると仮定すれば、＜表１１＞で要約された
【数２３】
2011509621.tif 000035
に対する該当値が得られる。
【００６９】
【表１１】
2011509621.tif 000036
【００７０】
＜表９＞及び＜表１１＞のＰＢは、ｅＮＢ(基地局)からユーザー端末(ＵＥ）にシグナリングされるパラメータであることに留意する。例えば、ηＲＳ＝１/６の物理値をシグナリングする代わりにｅＮＢは、簡単にＰＢ＝０の値をＵＥにシグナリングできる。この場合、この信号ＰＢ＝０を受信すると、ＵＥは、＜表１１＞を読み取って１Ｔｘの場合に
【数２４】
2011509621.tif 000037
で、２Ｔｘ 又は４Ｔｘの場合には
【数２５】
2011509621.tif 000038
であることがわかる。
【００７１】
＜表９＞を＜表１＞〜＜表３＞と比較すると、中間値ηＲＳが＜表９＞に明確に示されていないが、＜表９＞の各行ですべての値の対が２式、すなわち１Ｔｘの場合
【数２６】
2011509621.tif 000039
及び２/４Ｔｘの場合
【数２７】
2011509621.tif 000040
の関係に従うことが示されている。特に、この２個値の比は、＜表９＞の各行の
【数２８】
2011509621.tif 000041
値の対からわかるように、常に
【数２９】
2011509621.tif 000042
である。
【００７２】
本発明を実現するのに必要な機能はハードウェア、ソフトウェア、ファームウエア、又はマイクロコントローラ、マイクロプロセッサ、デジタル信号プロセッサ、プログラム可能な論理アレイを用いる一部組み合わせ、又は他の適切なタイプのハードウェア、ソフトウェア、及び/又はファームウエアを用いて全体的にあるいは部分的に実現されるべきである。
【００７３】
以上、本発明を具体的な実施形態に関して図示及び説明したが、添付した特許請求の範囲により規定されるような本発明の精神及び範囲を外れることなく、形式や細部の様々な変更が可能であることは、当該技術分野における通常の知識を持つ者には明らかである。
【符号の説明】
【００７４】
２１０      基地局
２１２      メモリ部
２１４      電力設定部
２１６      アンテナ部
２２０      ユーザー端末
２２２      アンテナ部
２２４      メモリ部
２２６      電力設定部
【図１】
2011509621.tif 000059
【図２】
2011509621.tif 000060
【図３】
2011509621.tif 000061
【図４】
2011509621.tif 000062
【図５】
2011509621.tif 000063
【図６】
2011509621.tif 000064
【図７】
2011509621.tif 000065
【図８】
2011509621.tif 000066
【図９】
2011509621.tif 000067
【国際調査報告】
2011509621.tif 000068
2011509621.tif 000069